【事件の表示】
　平成　６年特許願第　５６６５４号「ファクシミリ文字認識システム」拒絶査定に対する審判事件［平成　７年　９月１９日出願公開、特開平　７−２４５６７２］について、次のとおり審決する。
【結　論】
　本件審判の請求は、成り立たない。
【理　由】
１．手続の経緯等
　本願は、平成６年３月２日の出願であって、その請求項１〜４に係る発明は、平成１４年１月１０日付けの手続補正によって補正された明細書及び図面の記載からみて、特許請求の範囲の請求項１〜４に記載されたとおりのものと認められるところ、請求項１に係る発明（以下「本願発明」という。）は、次のとおりのものである。
　
「【請求項１】　ファクシミリ装置から帳票データを送信し、この帳票データを認識装置が受信して文字認識を行うファクシミリ文字認識システムにおいて、
　前記認識装置を、
　受信した帳票データの文字認識ができなかった場合は、当該帳票データを間引き、圧縮して送信元のファクシミリ装置に返送するよう構成したことを特徴とするファクシミリ文字認識システム。」
　
２．引用例
　これに対し、原審の拒絶の理由で引用した特開平２−９４７７３号公報（平成２年４月５日出願公開。）（以下、「引用例」という。）には、図面と共に次の各記載がある。
　　　
（ア）「相手ファクシミリ装置から送られる、帳票上の画情報を読み取り得られた画信号に基づいて文字認識を行うＯＣＲファクシミリ装置において、
　各帳票ごとの文字認識の度合を検出する認識度合検出手段と、
　この認識度合検出手段の検出出力である度合データに基づいて相手側ファクシミリ装置に対する当該帳票の画信号の再送要求の信号を送信する処理制御手段とを具備することを特徴とするＯＣＲファクシミリ装置。」（引用例の１頁下左欄５〜１４行）
　
（イ）「具体的には、制御部６は認識の度合を例えば三段階（大、中、小）で検出する。つまり、認識すべき文字数に対し認識不能な文字数の割合を算出し、その割合が90％以上、90％未満75％以上、75％未満で大中小に別け、処理制御手段62Ａ〜62Ｃを起動する認識度合検出手段61として機能する。」（引用例の２頁下左欄３〜９行）
　
（ウ）「処理制御手段62Ｂは認識できた割合が90％未満75％以上の場合に起動され、認識部５から受取ったキャラクタコードに通番データを付して発信元データとともに蓄積部３へ送り、発信元へ画信号として送信させる。従ってこの場合には、帳票を送ってきた相手側ファクシミリ装置へ通番と認識できた部分の画信号（前記キャラクタコードに基づく）とが与えられ、これによる記録出力が行われ、相手側ファクシミリ装置のオペレータはこの記録出力により認識不能となった文字等だけを再送する等の対処が可能である。これによって再送された文字の画信号は通番とともに蓄積部３から認識部５へ与えられ再度認識される。」（引用例の２頁下左欄１３行〜同頁下右欄６行）
　
（エ）「処理制御手段62Ｃは認識部５から受取ったキャラクタコードの通番データと送信元データとを蓄積部３へ送出して再送要求の画信号を原画信号とともに送出させる。つまり、処理制御手段62Ｃから通番データを受取ると、蓄積部３は通番データと対応して蓄積されている原画信号と再送要求の画信号とを所定フォーマットにして送信元に対する送信を行う。」（引用例の２頁下右欄６行〜同頁下右欄１３行）
　
（オ）「つまり認識結果を受取り（201 ）、認識率が大か検出し（202 ）、大であれば補助記憶装置63へ結果を格納し（203 ）、大でなければ認識率が中であるか検出する（204 ）。認識率が中である場合には認識結果と通番とを画信号とを送信元へ送信し（205 ）、認識率が中でなければ小である場合には送られてきた原画信号と通番と再送要求の画信号とを送信する（206 ）。」（引用例の３頁上左欄５〜１３行）
　以上の記載よりみて、引用例には、次の発明が記載されている。
　
「相手ファクシミリ装置から送られる、帳票上の画情報を読み取り得られた画信号に基づいて文字認識を行うＯＣＲファクシミリ装置において、
　各帳票ごとの文字認識の度合を検出する認識度合検出手段と、
　この認識度合検出手段の検出出力である度合データが認識率が小である認識できた割合が75％未満の場合に相手側ファクシミリ装置に対する当該帳票の画信号の再送要求の信号を相手ファクシミリ装置から送られた画信号である原画信号とともに送信する処理制御手段とを具備することを特徴とするＯＣＲファクシミリ装置。」
　
　３．対比
　そこで、本願発明と引用例に記載された発明とを対比すると、
　引用例の「相手ファクシミリ装置から送られる、帳票上の画情報を読み取り得られた画信号に基づいて文字認識を行うＯＣＲファクシミリ装置」は、「相手ファクシミリ装置」を含めてみれば、本願発明でいう「ファクシミリ装置から帳票データを送信し、この帳票データを認識装置が受信して文字認識を行うファクシミリ文字認識システム」と変わるところはない。また、引用例の「この認識度合検出手段の検出出力である度合データが認識率が小である認識できた割合が75％未満の場合」は、再送要求を送信元送信するのであり、本願発明においても「【００１８】　尚、上記の動作では、帳票データの認識不可か否かの判定を補正マークの検出の有無で行ったが、これ以外にも、シートＩＤ１０２の検出の有無や文字フィールド１０３の文字認識結果の可否で判定を行ってもよい。」と記載されていることから、本願発明の「受信した帳票データの文字認識ができなかった場合」と変わるところはない。そして、引用例の「相手ファクシミリ装置から送られた画信号である原画信号」は送信元のファクシミリ装置から送信された「帳票データ」であることは明かである。
　そうすると、引用例に記載された発明と本願発明とは、
　「ファクシミリ装置から帳票データを送信し、この帳票データを認識装置が受信して文字認識を行うファクシミリ文字認識システムにおいて、
　前記認識装置を、
　受信した帳票データの文字認識ができなかった場合は、当該帳票データを送信元のファクシミリ装置に返送するようしたファクシミリ文字認識システム。」
である点で一致し次の点で相違する。
　
（相違点）
　送信元への帳票データの返送が、本願発明では、帳票データを間引き、圧縮して返送しているのに対して、引用例では、「間引き、圧縮」についての特定がされていない点。
　
４．相違点に対する判断
　本願発明において「間引き、圧縮して」と記載されていることから、「間引き」の処理と、「圧縮」の処理とが、その文言から別々の処理とも解釈できるが、「【００１１】　システム制御部４は、認識装置２としての各種の処理を行うためのプロセッサであり、データ圧縮部４１を有している。このデータ圧縮部４１は、専用のプロセッサあるいはプログラムから構成され、文字認識部７で文字認識できなかった場合、その帳票データの間引きを行ってデータ圧縮を行うものである。尚、この圧縮構成等については、後述する。」との記載、及び図５及び図６に示されるように、図３に示される帳票イメージデータに対してデータ圧縮後のものが縮小されたものとなっていることから、別々の処理ではなく、間引きを行ってデータ圧縮を行うことを意味するものといえる。
　また、送信元から送られてきた画像を縮小して返信することは、以下に示すようにファクシミリ装置において周知の技術である。
　
　周知例１
　特開平４−２１９０５６号公報
「【特許請求の範囲】
　　【請求項１】　送信機からの原稿の画通信の受信を完了した際に、前記原稿を受領した旨を表わす受領情報とともに該原稿の少なくとも一部を画信号として前記送信機に向けて自動返送することを特徴とするファクシミリ通信方式。」及び
「【０００６】　（中略）
さらに画像メモリ（８）に記憶された受信原稿のうちの一枚目の画像を縮小してこの受領書と組み合わせた後一般の画情報と同じく即ち符号化等の過程を経た画信号として送信機（１）に返信することにより行われる。」
と記載されている。
　
　周知例２
　特開平４−２４５８５７号公報
「【特許請求の範囲】
　　【請求項１】　送信先と送信内容とを受信して該送信先に向けて該送信内容を送信する中継送信を行なうファクシミリにおいて、前記送信先に向けて前記送信内容を送れなかった場合に送れなかった旨を表わす不達メッセージと縮小された前記送信内容とからなる原稿を生成する不達通知生成手段と、該不達通知生成手段により生成された前記原稿を前記送信先と送信内容とを送信したファクシミリに向けて送信する送信手段とを備えたことを特徴とするファクシミリ。」及び
「【００１０】
　　【作用】　本発明のファクシミリでは不達メッセージと縮小された送信内容とからなる原稿が生成された中継送信を依頼したファクシミリに送信するようにしたため、中継送信を依頼したファクシミリ側ではどの送信内容が不達だったのかを一見して知ることができることとなる。」及び
「【００１４】　（中略）
さらにステップ（ｆ）で送信できなかった送信内容のうちの１ページを１／２に縮小したイメージデータが生成され、ステップ（ｇ）でそれらが組み合わされる。そしてステップ（ｈ）で中継送信を指定した発信先にその不達メッセージと１／２に縮小された送信内容の１ページ目とが返送される。中継送信を依頼した発信先ではこの返送された原稿を確認することにより不達であった旨とその内容が容易に認識される。」
と記載されている。
　
　周知例３
　特開昭６０−１７７７７０号公報
「送信側から送信された画信号をカウントするカウンタと、切り出すべき所定の画信号位置を設定する切り出し設定部と、切り出した画信号を記憶する記憶メモリと、前記切り出し設定部からの設定位置情報及び前記カウンタの出力に応答して前記記憶メモリに所定の画信号を記憶させる切り出し制御部と、送信側からの送信終了後前記記憶された画信号を送信側に返送する回線制御部を設けたことを特徴とするフアクシミリ装置」（１頁下左欄４〜１２行）及び
「また、本実施例では画信号の一部または全部を等位で返送する様にしているが、その縮信が自由に設定できるのはもちろんである。」（３頁上左欄１２〜１４行）
と記載されている。
　
　そして、縮小すれば当然データ量が減少し、圧縮されるといえ、また、縮小を間引きで行うことは普通のことである。
　したがって、引用例に記載された発明において、帳票データを「間引き、圧縮」して返送するようにすることは、当業者が容易になしえることである。
　
５．むすび
　以上のとおり、本願の請求項１に係る発明は、上記引用例に記載された発明に基づいて当業者が容易に発明をすることができたものであるから、特許法第２９条第２項の規定により特許を受けることができない。
　よって、結論のとおり審決する。